(57)【要約】【課題】節水を確実に行うことができる優れる便器構造を提供することにある。【解決手段】内部にボウル面（２）を有する便器本体（１）があって、この便器本体（１）が上記ボウル面（２）の下流側で可動式トラップ（７）に繋げられているとともに、同便器本体（１）内に上記ボウル面（２）とは別に水を貯める貯水槽（３）を同ボウル面（２）の下流側に設けたものである。また、上記貯水槽（３）内に可動自在な可動壁（６）を設けているものであってもかまわないものである。さらに、上記貯水槽（３）内に汚物を粉砕する粉砕装置（４）を設けているものであってもかまわないものである。【選択図】　　　　図１
2004011238.tif 000002
【特許請求の範囲】
【請求項１】
内部にボウル面を有する便器本体があって、この便器本体が上記ボウル面の下流側で可動式トラップに繋げられているとともに、同便器本体内に上記ボウル面とは別に水を貯める貯水槽を同ボウル面の下流側に設けたことを特徴とする便器構造。
【請求項２】
上記貯水槽内に可動自在な可動壁を設けたことを特徴とする請求項１記載の便器構造。
【請求項３】
上記可動壁が、上記貯水槽内の上部に設けられているものであることを特徴とする請求項２記載の便器構造。
【請求項４】
上記貯水槽内に汚物を粉砕する粉砕装置を設けたことを特徴とする請求項１ないし請求項３いずれか記載の便便器構造。
【請求項５】
上記粉砕装置が、上記貯水槽内の底部に設けられているものであることを特徴とする請求項４記載の便器構造。
【請求項６】
上記貯水槽と上記ボウル面との水路部分に防臭用の隔壁が設けられたことを特徴とする請求項１ないし請求項５いずれか記載の便器構造。
【発明の詳細な説明】
【０００１】
【発明の属する技術分野】
本発明は、便器構造に関し、さらに詳しくは、節水を行うのに有用な便器構造に関するものである。
【０００２】
【従来の技術】
従来の便器構造としては、例えば、図２に示すごとく、内部にボウル面（２）を有する便器本体（１）があって、この便器本体（１）が上記ボウル面（２）の下流側で可動式トラップ（７）に繋げられているものであって、同便器本体（１）内のボウル面（２）に水を貯めており、同便器本体（１）を使用した後などには、ボウル面（２）に貯められた水を流して洗浄するようにしていたものであった。
【０００３】
そして、このボウル面（２）に貯められた水を流して洗浄するのに、上記便器本体（１）に繋げられている可動式トラップ（７）の存在によって、洗浄スイッチを押すと、ボウル面（２）に水が入ってくるとともに、同ボウル面（２）に貯められた水が流れ出して、上記可動式トラップ（７）がターンして、汚物や水が排出されるようになっていたものであった。なお、汚物が流されて洗浄が終了すると、可動式トラップ（７）が元に戻り、汚物や水などの排出の動作が終了するようになっていたものであった。
【０００４】
【発明が解決しようとする課題】
しかしながら、このような便器構造においては、可動式トラップ（７）の存在によって、ボウル面（２）に貯められた水を流して洗浄するのがサイホンジェット式などの場合と比べて静かに洗浄されて汚物や水が排出されるようになっていたものであったが、充分な洗浄を行うために、ボウル面（２）とこのボウル面（２）に通じている可動式トラップ（７）の部分で汚物や水を排出するのに必要な水をできるだけ大量に貯めておかなければならないものであり、結果として、節水には繋がらないものであった。
【０００５】
本発明は、上述の事実に鑑みてなされたものであって、その目的とするところは、節水を確実に行うことができる優れる便器構造を提供することにある。
【０００６】
【課題を解決するための手段】
本発明の請求項１に係る便器構造は、内部にボウル面（２）を有する便器本体（１）があって、この便器本体（１）が上記ボウル面（２）の下流側で可動式トラップ（７）に繋げられているとともに、同便器本体（１）内に上記ボウル面（２）とは別に水を貯める貯水槽（３）を同ボウル面（２）の下流側に設けたことを特徴とする。
【０００７】
本発明の請求項２に係る便器構造は、上記貯水槽（３）内に可動自在な可動壁（６）を設けたことを特徴とする。
【０００８】
本発明の請求項３に係る便器構造は、上記可動壁（６）が、上記貯水槽（３）内の上部に設けられているものであることを特徴とする。
【０００９】
本発明の請求項４に係る便器構造は、上記貯水槽（３）内に汚物を粉砕する粉砕装置（４）を設けたことを特徴とする。
【００１０】
本発明の請求項５に係る便器構造は、上記粉砕装置（４）が、上記貯水槽（３）内の底部に設けられているものであることを特徴とする。
【００１１】
本発明の請求項６に係る便器構造は、上記貯水槽（３）と上記ボウル面（２）との水路部分に防臭用の隔壁（５）が設けられたことを特徴とする。
【００１２】
【発明の実施の形態】
以下、本発明の実施形態を図面を参照しながら詳しく説明する。
【００１３】
図１は、本発明の一実施形態に係る便器構造を示す断面図である。
【００１４】
本発明の便器構造は、図１に示すごとく、内部にボウル面（２）を有する便器本体（１）があって、この便器本体（１）が上記ボウル面（２）の下流側で可動式トラップ（７）に繋げられているとともに、同便器本体（１）内に上記ボウル面（２）とは別に水を貯める貯水槽（３）を同ボウル面（２）の下流側に設けているものである。
【００１５】
上記便器本体（１）は、図１に示すごとく、内部にボウル面（２）を有しているものである。この便器本体（１）のサイズや形状としては、図示のものに限らず、使用者の好みによって自由自在に設定されるものである。また、ボウル面（２）のサイズや形状としても、この便器本体（１）のサイズや形状に応じて、自由自在に設定することができるものである。
【００１６】
上記可動式トラップ（７）は、図１に示すごとく、上記ボウル面（２）の下流側に設けられているものであり、上記便器本体（１）と繋げられているものである。この可動式トラップ（７）は、上記ボウル面（２）に貯められた水を流して洗浄する際に、上下にターン、すなわち、上下に回転して、汚物や水が排出されるようになっているものである。この可動式トラップ（７）は、汚物や水が上記便器本体（１）から外部に排出されるように、例えば、排水管などと繋がっているものである。
【００１７】
通常、上記可動式トラップ（７）をターンさせるのに、上記便器本体（１）などに設けられる洗浄スイッチを押すと、操作することができるようになっているものである。そして、洗浄スイッチを押した際の一連の動作としては、ボウル面（２）に水が入ってくるとともに、同ボウル面（２）に貯められた水が流れ出して、この可動式トラップ（７）がターンして、汚物や水が排出されるようになっているものである。
【００１８】
なお、汚物が流されて洗浄が終了すると、上記可動式トラップ（７）が元に戻り、汚物や水などの排出の動作が終了するようになっているものである。通常、上記可動式トラップ（７）の元の状態としては、図１に示すごとく、端部が上向きになっており、上記ボウル面（２）に貯められた水を流して洗浄する際には、同可動式トラップ（７）の状態は、端部が下向きになっているものである。このような可動式トラップ（７）の存在によって、ボウル面（２）に貯められた水を流して洗浄するのがサイホンジェット式などの場合と比べて静かに洗浄されて汚物や水が排出されるようになっているものである。
【００１９】
上記貯水槽（３）は、水を貯めるものであって、上記ボウル面（２）とは別に設けられているものである。この貯水槽（３）は、図１に示すごとく、上記便器本体（１）内にあり、上記ボウル面（２）の下流側に設けられているものである。この貯水槽（３）のサイズや形状としては、上記便器本体（１）のサイズや形状に応じて、そして、水を貯める必要量に応じて、自由自在に設定することができるものである。
【００２０】
本発明は、このような構成をとることによって、ボウル面（２）の下流側にある同ボウル面（２）とは別に水を貯める貯水槽（３）にて同ボウル面（２）から押し流すだけの水量で充分な洗浄を行うことができて、貯水槽（３）を形成した分だけ、ボウル面（２）の溜水は浅く形成することができて、結果として、節水を確実に行うことができるものである。
【００２１】
すなわち、本発明は、節水を確実に行うことができる優れるものである。
【００２２】
また、図１に示すごとく、上記貯水槽（３）内に可動自在な可動壁（６）を設けているものであると、貯水槽（３）と可動式トラップ（７）とで形成される封水部分は貯水槽（３）に内蔵された可動自在な可動壁（６）によって、封水を確保しながら容量を増減できるものであり、貯水槽（３）の容量が増減するので無駄がなく、結果として、節水をより一層確実に行うことができるものである。
【００２３】
上記可動壁（６）としては、可動自在なものであれば、どのような形態のものであっても特に問われるものではないが、例えば、図１に示すごとき中腹部が蛇腹状となっているような筒体で下端部に壁板が取り付けられていることで、可動自在なものとなしていてもかまわないものである。
【００２４】
さらに、図１に示すごとく、上記可動壁（６）が、上記貯水槽（３）内の上部に設けられているものであると、貯水槽（３）内の上部に設けられている可動壁（６）にて貯水槽（３）と可動式トラップ（７）とで形成される封水部分は封水をより一層確保しながら容量を確実に増減できるものであり、貯水槽（３）の容量が増減するので非常に無駄がなく、結果として、節水をより一層確実に行うことができるものである。
【００２５】
そして、図１に示すごとく、上記貯水槽（３）内に汚物を粉砕する粉砕装置（４）を設けているものであると、貯水槽（３）に入った汚物は、粉砕装置（４）により細かく砕かれ、このように汚物が粉砕装置（４）にて砕かれていることにより、排水の配管への負担が少なくなり、場合によっては、排水の配管を細くすることもできるものである。
【００２６】
上記粉砕装置（４）としては、汚物を粉砕することができるものであれば、どのような形態のものであっても特に問われるものではないが、例えば、図１に示すごとき回転自在な攪拌羽のようなものが採用されるものである。
【００２７】
しかも、図１に示すごとく、上記粉砕装置（４）が、上記貯水槽（３）内の底部に設けられているものであると、貯水槽（３）内の底部に設けられている粉砕装置（４）にて貯水槽（３）に入った汚物は、より一層確実に細かく砕かれ、このように汚物が粉砕装置（４）にて確実に砕かれていることにより、排水の配管への負担がより一層確実に少なくなり、場合によっては、排水の配管をより一層確実に細くすることもできるものである。
【００２８】
それから、図１に示すごとく、上記貯水槽（３）と上記ボウル面（２）との水路部分に防臭用の隔壁（５）が設けられているものであると、貯水槽（３）に貯留される汚物臭としては、同貯水槽（３）とボウル面（２）との水路部分に設けられた隔壁（５）により、逆流しないものであり、充分な防臭がなされるものである。
【００２９】
上記隔壁（５）としては、逆流しないように防臭がなされるものであれば、どのような形態のものであっても特に問われるものではないが、例えば、図１に示すごとく、上記ボウル面（２）の下端部で底蓋のような役割を果たしており、一端部が同ボウル面（２）の下端縁で回転軸にて固定されていて、もう一端部側が同ボウル面（２）の下端部にて開閉自在となっているようなものであってもかまわないものである。
【００３０】
具体的には、図１に示すごとく、本発明の実施形態は、可動式トラップ（７）を持つ便器構造において、ボウル面（２）と可動式トラップ（７）の間に貯水槽（３）を設けているものである。この貯水槽（３）には、汚物を粉砕する粉砕装置（４）が設けてある。また、このボウル面（２）の溜水は、浅く形成されており、上記貯水槽（３）の入口部にはフラップ形状の隔壁（５）が設けてある。さらに、上記貯水槽（３）と上記可動式トラップ（７）とで形成される封水部分は貯水槽（３）に内蔵された可動壁（６）によって、封水を確保しながら容量を増減できる構造となっているものである。
【００３１】
すなわち、排泄された汚物は、上記ボウル面（２）の洗浄により、貯水槽（３）に流し込まれる際に、上記隔壁（５）は洗浄の水圧によって押し開き、そして、上記貯水槽（３）に入った汚物は、粉砕装置（４）により細かく砕かれ、一旦貯留されるものである。次に、２、３回洗浄動作を繰り返すものである。そのとき、貯水槽（３）の容量によって内蔵された可動壁（６）が移動して、封水を確保するものである。そのように溜められた状態から、本洗浄が行われて、上記ボウル面（２）の洗浄を行い、可動式トラップ（７）が動作して排水されて一連の洗浄動作が完了するものである。
【００３２】
本実施形態の動作手順としては、図１に示すごとく、使用者が排泄行為を行うと、例えば、給水電磁弁をもつ便器本体は、給水を開始して、ボウル面（２）にある汚物を貯水槽（３）へ流し込むものである。そのとき、水の流入により、防臭用の隔壁（５）が押し開かれるものである。そして、流れてきた汚物を含む排水を粉砕装置（４）にて細かく砕かれて貯留されるものである。こうして、汚物が細かくなることにより、排水性の向上につながるものである。次に、貯水槽（３）と可動式トラップ（７）により、封水を確保しているのであるが、貯水槽（３）内に可動自在な可動壁（６）を設けていることにより、封水を保ちながら、貯水量を増減できるようにしているものである。このようなことにより、配管の排水性にあった水量で排出することが可能になるものである。洗浄動作一回に付き排水するのではなくて、２、３回まとめて流すことにより、節水につながるものである。
【００３３】
上述のことにより、ボウル面（２）から押し流すだけの水量で良くなるものである。また、貯水槽（３）の容量が増減するので無駄がないものである。そして、貯水槽（３）に貯留される汚物臭としては、隔壁（５）により逆流しないものである。さらに、汚物が粉砕装置（４）にて砕かれていることにより、排水の配管への負担が少なくなり、場合によっては、排水の配管を細くすることもできるものである。
【００３４】
本発明の便器構造によると、図１に示すごとく、内部にボウル面（２）を有する便器本体（１）があって、この便器本体（１）が上記ボウル面（２）の下流側で可動式トラップ（７）に繋げられているとともに、同便器本体（１）内に上記ボウル面（２）とは別に水を貯める貯水槽（３）を同ボウル面（２）の下流側に設けたので、ボウル面（２）の下流側にある同ボウル面（２）とは別に水を貯める貯水槽（３）にて同ボウル面（２）から押し流すだけの水量で充分な洗浄を行うことができて、貯水槽（３）を形成した分だけ、ボウル面（２）の溜水は浅く形成することができて、結果として、節水を確実に行うことができるものである。
【００３５】
すなわち、本発明は、節水を確実に行うことができる優れるものである。
【００３６】
【発明の効果】
本発明の請求項１に係る便器構造によると、ボウル面（２）の下流側にある同ボウル面（２）とは別に水を貯める貯水槽（３）にて同ボウル面（２）から押し流すだけの水量で充分な洗浄を行うことができて、貯水槽（３）を形成した分だけ、ボウル面（２）の溜水は浅く形成することができて、結果として、節水を確実に行うことができるものである。
【００３７】
すなわち、本発明は、節水を確実に行うことができる優れるものである。
【００３８】
本発明の請求項２に係る便器構造によると、請求項１記載の場合に加えて、貯水槽（３）と可動式トラップ（７）とで形成される封水部分は貯水槽（３）に内蔵された可動自在な可動壁（６）によって、封水を確保しながら容量を増減できるものであり、貯水槽（３）の容量が増減するので無駄がなく、結果として、節水をより一層確実に行うことができるものである。
【００３９】
本発明の請求項３に係る便器構造によると、請求項２記載の場合に加えて、貯水槽（３）内の上部に設けられている可動壁（６）にて貯水槽（３）と可動式トラップ（７）とで形成される封水部分は封水をより一層確保しながら容量を確実に増減できるものであり、貯水槽（３）の容量が増減するので非常に無駄がなく、結果として、節水をより一層確実に行うことができるものである。
【００４０】
本発明の請求項４に係る便器構造によると、請求項１ないし請求項３いずれか記載の場合に加えて、貯水槽（３）に入った汚物は、粉砕装置（４）により細かく砕かれ、このように汚物が粉砕装置（４）にて砕かれていることにより、排水の配管への負担が少なくなり、場合によっては、排水の配管を細くすることもできるものである。
【００４１】
本発明の請求項５に係る便器構造によると、請求項４記載の場合に加えて、貯水槽（３）内の底部に設けられている粉砕装置（４）にて貯水槽（３）に入った汚物は、より一層確実に細かく砕かれ、このように汚物が粉砕装置（４）にて確実に砕かれていることにより、排水の配管への負担がより一層確実に少なくなり、場合によっては、排水の配管をより一層確実に細くすることもできるものである。
【００４２】
本発明の請求項６に係る便器構造によると、請求項１ないし請求項５いずれか記載の場合に加えて、貯水槽（３）に貯留される汚物臭としては、同貯水槽（３）とボウル面（２）との水路部分に設けられた隔壁（５）により、逆流しないものであり、充分な防臭がなされるものである。
【図面の簡単な説明】
【図１】本発明の一実施形態に係る便器構造を示す断面図である。
【図２】一従来例に係る便器構造を示す断面図である。
【符号の説明】
１　　便器本体
２　　ボウル面
３　　貯水槽
４　　粉砕装置
５　　隔壁
６　　可動壁
７　　可動式トラップ
【図１】
2004011238.tif 000003
【図２】
2004011238.tif 000004